(57)【要約】      （修正有）【課題】コインを取り出しやすいと共に外観品質を向上させることが可能なコインケースを提供する。【解決手段】開口部１１を有するコインケース本体部と、上記開口部を被覆可能なフラップ部１３とを備えたコインケース１０であって、上記開口部には、上記開口部を常時閉止方向に付勢する付勢力を有し、上記開口部を閉止しうる可撓性部材１４ａ、１４ｂを有する閉止構造が設けられ、上記付勢力に抗して上記開口部を開口させた場合には、上記フラップ部も上記開口部を開放すると共に、上記付勢力が作用する場合には上記フラップ部は上記開口部を被覆する。【選択図】図２
0003158598.tif 000002
【実用新案登録請求の範囲】
【請求項１】
開口部を有するコインケース本体部と、上記開口部を被覆可能なフラップ部とを備えたコインケースであって、
上記開口部には、上記開口部を、常時、閉止方向に付勢する付勢力を有し、上記開口部を閉止しうる可撓性部材を有する閉止構造が設けられ、
上記付勢力に抗して上記開口部を開口させた場合には、上記フラップ部も上記開口部を開放すると共に、上記付勢力が作用する場合には上記フラップ部は上記開口部を被覆することを特徴とするコインケース。
【請求項２】
上記コインケース本体部及び上記フラップ部は、所定の剛性を有する素材により形成されると共に上記コインケース本体部は薄型袋状に形成され、上記フラップ部は上記コインケースの開口部及び側面部を被覆し、
上記閉止構造は、長さ寸法を有し、上記開口部の周縁方向に沿って互いに対向して一対に配置された可撓性部材と、上記可撓性部材の両端部が、夫々、軸着された軸部とにより構成され、
上記開口部の閉止時には、上記一対の可撓性部材が長さ方向に沿って互いに当接することにより上記開口部を閉止し、
上記開口部の開放時には、上記一対の可撓性部材を上記一対の軸部を互いに対向する方向に押圧することにより、上記可撓性部材を上記付勢力に抗して、互いに離間させて撓ませることにより、上記フラップ部を上記側面部より離間させると共にフラップ部を上記開口部側方において開口位置に配置することを特徴とする請求項１記載のコインケース。
【請求項３】
上記可撓性部材は、金属製の板状バネにより形成されていると共に、上記フラップ部の先端部裏面側には、上記開口部を開放した場合に放出されるコインを受け止めうるコイン受け部が設けられていることを特徴とする請求項２記載のコインケース。
【請求項４】
上記フラップ部の前端部内側面部には固定金具が設けられていると共に、上記コインケース本体部の前面部には磁石部が設けられ、上記フラップ部が上記開口部を被覆している場合には、上記固定金具は上記磁石部に吸着されていることを特徴とする請求項３記載のコインケース。
【請求項５】
上記コインケース本体部と上記フラップ部とは皮製であって一体に形成されていることを特徴とする請求項４記載のコインケース。
【考案の詳細な説明】
【技術分野】
【０００１】
本考案は、コインケースに係り、特に、開口部を被覆するフラップ部が設けられたコインケースに関する。
【背景技術】
【０００２】
従来より、全体薄型袋状に形成され、開口部に、互いに厚さ方向に対向して配置された２枚の板状バネ部材を布材に縫いこんだコインケースが存在する。
このようなコインケースにコインを収納する場合には、上記板状バネ部材の両端部を互いに対向方向に押圧することにより、上記板状バネ部材を撓ませて、互いに離間させ、これにより形成された開口部からコインを収納し、上記板状バネ部材の対向方向への押圧力を解除した場合には、上記板状バネ部材の付勢力により自動的に開口部は閉止するように構成されている。
【０００３】
このような従来のコインケースにあっては、コインを取り出す際にも、一方の手で上記開口部の両端部を把持して上記板状バネ部材を撓ませて開口部を開口させて、内部に収納されたコインを他方の手で受ける必要があり、必要なコインを他方の手の上で選別しなければならず、煩雑である、という不具合が存していた。
【０００４】
また、上記開口部が外方に露出してしまうことから、外観品質に欠けるものであった。
【考案の開示】
【考案が解決しようとする課題】
【０００５】
本考案の課題は、コインを取り出しやすいと共に外観品質を向上させることが可能なコインケースを提供することにある。
【課題を解決するための手段】
【０００６】
上記課題を解決するために、請求項１の考案にあっては、開口部を有するコインケース本体部と、上記開口部を被覆可能なフラップ部とを備えたコインケースであって、上記開口部には、上記開口部を、常時、閉止方向に付勢する付勢力を有し、上記開口部を閉止しうる可撓性部材を有する閉止構造が設けられ、
上記付勢力に抗して上記開口部を開口させた場合には、上記フラップ部も上記開口部を開放すると共に、上記付勢力が作用する場合には上記フラップ部は上記開口部を被覆することを特徴とする。
【０００７】
請求項２記載の考案にあっては、上記コインケース本体部及び上記フラップ部は、所定の剛性を有する素材により形成されると共に上記コインケースは薄型袋状に形成され、上記フラップ部は上記コインケースの開口部及び側面部を被覆し、上記閉止構造は、長さ寸法を有し、上記開口部の周縁方向に沿って互いに対向して一対に配置された可撓性部材と、上記可撓性部材の両端部が、夫々、軸着された軸部とにより構成され、上記開口部の閉止時には、上記一対の可撓性部材が長さ方向に沿って互いに当接することにより上記開口部を閉止し、上記開口部の開放時には、上記一対の可撓性部材を上記一対の軸部を互いに対向する方向に押圧することにより、上記可撓性部材を閉止方向の付勢力に抗して、互いに離間させて撓ませることにより、上記フラップ部を上記側面部より離間させると共にフラップ部を上記開口部側方において開口位置に固定することを特徴とする。
【０００８】
請求項３記載の考案にあっては、上記可撓性部材は、金属製の板状バネにより形成されていると共に、上記フラップ部の先端部裏面側には、上記開口部を開放した場合に放出されるコインを受け止めうるコイン受け部が設けられていることを特徴とする。
【０００９】
従って、請求項３記載の考案にあっては、上記一対の可撓性部材を上記一対の軸部を互いに対向する方向に押圧することにより、上記可撓性部材を閉止方向の付勢力に抗して、互いに離間させて撓ませることにより、上記フラップ部を上記側面部より離間させると共にフラップ部を上記開口部側方において開口位置に固定して開口部を開口した場合には、コインケース本体部から流出したコインを上記フラップ部のコイン受け部において受けることができる。
【００１０】
請求項４記載の考案にあっては、上記フラップ部の前端部内方には固定金具が設けられていると共に、上記コインケース本体部の前面部には磁石部が設けられ、上記フラップ部が上記開口部を被覆している場合には、上記固定金具は上記磁石部に吸着されていることを特徴とする。
【００１１】
請求項５記載の考案にあっては、上記コインケース本体部と上記フラップ部とは皮製であって一体に形成されていることを特徴とする。
【考案の効果】
【００１２】
請求項１〜５記載の考案にあっては、上記フラップ部がコインケース本体部の開口部を被覆することから、外観品質に富むコインケースを提供することができる。
【００１３】
請求項２記載の考案にあっては、上記開口部の開放時には、上記一対の可撓性部材を上記一対の軸部を互いに対向する方向に押圧することにより、上記可撓性部材を閉止方向の付勢力に抗して、互いに離間させて撓ませることにより、上記フラップ部を上記側面部より離間させると共にフラップ部を上記開口部側方において開口位置に固定することができるように構成されていることから、コインを取り出す際に、一方の手のみを使ってコインケース本体部からコインを上記フラップ部に排出させることができ、かつ、他方の手を使って容易かつ迅速に、上記フラップ部上において必要なコインの選別をすることができる。
【００１４】
その結果、従来のように、一方の手で上記開口部の両端部を把持して上記板状バネ部材を撓ませて開口部を開口させて、内部のコインを他方の手で受け、必要なコインを他方の手の上で選別する煩雑さを解消することが可能となる。
【００１５】
請求項３記載の考案にあっては、上記可撓性部材は、金属製の板状バネにより形成されていることから、板状バネは一定の幅寸法を有することから、開口部を開放する場合に把持しやすい。
【００１６】
また、上記フラップ部の先端部裏面側には、上記開口部を開放した場合に放出されるコインを受け止めうるコイン受け部が設けられていることから、開口部から流出する多数のコインをコイン受け部により受け止めることができ、上記フラップ部上で容易にコインの選別を行うことができる。
【００１７】
請求項４記載の考案にあっては、上記フラップ部が上記開口部を被覆する場合には、上記フラップ部は固定金具を介して上記磁石部に吸着されることから、上記フラップ部は開口部の被覆時にはコインケース本体部に固定され、携帯時
【００１８】
請求項５記載の考案にあっては、上記コインケース本体部と上記フラップ部とは皮製であって一体に形成されており、所定の剛性を有することから、上記可撓性部材を把持して撓ませ、開口部を開口させた場合には、コインケース本体部及び、コインケース本体部に一体的に形成されているフラップ部が撓み、コインケース本体部及びフラップ部が所定の剛性を以ってコインの流出及び収納の際の構造を形成することができることから、請求項１記載の効果に加えて、よりユーザーが使用しやすいコインケースを提供することができる。
【図面の簡単な説明】
【００１９】
【図１】本考案に係るコインケースを示し、フラップ部により開口部が被覆されている状態を示す斜視図である。
【図２】本考案に係るコインケースを示し、フラップ部が開放された状態を示す斜視図である。
【図３】本考案に係るコインケースを示し、フラップ部が閉止された状態を示す正面図である。
【図４】本考案に係るコインケースを示し、フラップ部が閉止された状態を示す側面図である。
【考案を実施するための最良の形態】
【００２０】
以下添付図面に示す実施の形態に基づき、本考案を詳細に説明する。
図１に示すように、本実施の形態に係るコインケース１０は、開口部１１を有し、正面略方形状であって、下端周縁部が略楕円形状に形成されたコインケース本体部１２と、上記開口部１１を被覆可能な舌片状に形成されたフラップ部１３とを備えている。
【００２１】
本実施の形態にあっては、上記コインケース本体部１２と上記フラップ部１３とは、比較的硬質な皮革製であって、前面部革２１と、前面部革２１の周縁部に縫合固定された背面部革２２とにより構成され、上記背面部革２１の一部により上記フラップ部１３が形成されている。上記フラップ部１３は、コインケース本体部１２の全体の略半分を被覆できる大きさに形成されている。
【００２２】
上記コインケース本体部１２は薄型袋状に形成され、上記フラップ部１３は上記コインケース本体部１２の開口部１１及び側面部１７を被覆する。上記開口部１１には、上記開口部１１を、常時、閉止方向に付勢する付勢力を有し、上記開口部を閉止しうる可撓性部材１４を有する閉止構造１５が設けられている。
【００２３】
上記閉止構造１５は、上記開口部１１を形成する前面部革２１の上端部２３及び、これに対向する背面部革２２の部位において、上記開口部２１の周縁方向に沿って互いに対向して一対に配置され、金属製の板状バネにより形成されて可撓性部材１４ａ、１４ｂと、上記可撓性部材１４ａ、１４ｂの両端部が、夫々、軸着された軸部１６、１６とにより構成されている。
【００２４】
上記一方の可撓性部材１４ａは、上記前面部革２１の上端部２３に縫いこまれて配置されていると共に、他方の可撓性部材１４ｂは、上記前面部革２１の上端部２３に対向する背面部革２２の部位２７に縫いこまれて配置されている。
図２に示すように、上記軸部１６、１６は、前面部革２１の上端部２３の両側部において外方に露出して配置されている。また、上記フラップ部１３の先端部裏面側には、上記開口部１１を開放した場合に放出されるコインを受け止めうるコイン受け部１８が設けられている。
【００２５】
このコイン受け部１８は、上記フラップ部１３の先端部に平面略半円状の内方輪郭形状を有すると共に、上記フラップ部１３の先端部形状に合致する外方輪郭形状を有し、コインを保持しうる幅寸法を有する革片２４により形成されている。
【００２６】
この革片２４は、フラップ部１３の先端部位２５のみが背面部革２２に縫合固定されており内方輪郭部２６は開放され、上記フラップ部１３を形成する背面部革２２との間に空隙２８を形成しうるように配置されている。
また、上記コイン受け部１８の幅方向中央部には固定金具１９が設けられていると共に、上記コインケース本体部１２の前面部には磁石部２０が設けられ、上記フラップ部１３が上記開口部１１を被覆している場合には、上記固定金具１９は上記磁石部２０に吸着されるように構成されている。
【００２７】
以下、本実施の形態に係るコインケース１０の作用について説明する。
図１に示すように、上記開口部１１の閉止時には、上記一対の可撓性部材１４ａ、１４ｂが長さ方向に沿って互いに当接することにより上記開口部１１を閉止している。また、上記フラップ部１３は上記のように、固定金具１９が上記磁石部２０に吸着されていることから、フラップ部１３はコインケース本体部１２の側面部１７の略半分を被覆した状態で固定されている。
【００２８】
一方、上記開口部１１の開放時には、一方の手で、上記一対の可撓性部材１４ａ、１４ｂを上記一対の軸部１６、１６を把持して、互いに対向する方向、即ち、コインケース本体部１２の内方に向かって押圧する。
【００２９】
これにより、上記可撓性部材１４ａ、１４ｂは閉止方向の付勢力に抗して、互いに、コインケース本体部１２の厚さ方向に外方に離間して撓む。
【００３０】
この場合、上記フラップ部１３は、上記前面側の可撓性部材１４ａに外方へ押されて上記側面部１７より離間する。同時に、背面側の可撓性部材１４ｂは背面部革２２全体を長さ方向に沿って撓ませ、上記開口部１１を開放すると共に、上記フラップ部１３を開口部１１の側方において開口位置に配置する。その結果、外方へ撓んだ上記フラップ部１３により上記開口部１１に連続するコイン排出路２９が形成される。
【００３１】
従って、コインケース本体部１２内に収納されたコインは、上記コイン排出路２９を介して上記コイン受け部１８に溜まる。その結果、使用者は、使用していない他方の手により、コイン受け部１８において必要なコインを容易かつ迅速に選別することができる。
【００３２】
本実施の形態に係るコインケースにあっては、全体が皮革製の場合を例に説明したが、上記実施の形態に限定されることなく、所定の剛性を有する布材、合成樹脂材であってもよい。
【産業上の利用可能性】
【００３３】
本考案は、広く、コインケースに適用することが可能である。
【符号の説明】
【００３４】
１０  コインケース
１１  開口部
１２  コインケース本体部
１３  フラップ部
１４  可撓性部材
１５  閉止構造
１６  軸部
１７  側面部
１８  コイン受け部
１９  固定金具
２０  磁石部
２１  前面部革
２２  背面部革
２３  上端部
２４  革片
２５  先端部位
２６  内方輪郭部
２７  部位
２８  空隙
２９  コイン排出路
【図１】
0003158598.tif 000003
【図２】
0003158598.tif 000004
【図３】
0003158598.tif 000005
【図４】
0003158598.tif 000006